(57)【要約】【課題】本体ケースの大型化を避けつつ、二次電池セルと発熱部材を離間させる。【解決手段】電源装置は、複数の二次電池セル１と、複数の二次電池セル１を平行な姿勢で収納する電池ホルダ２と、複数の二次電池セル１の電力を、所定の出力電力に変換する電力変換回路４０と、出力電力を外部に出力するための出力端子３１、及び二次電池セル１を充電するための充電電力を外部から受けるための入力端子３２とを設けたコネクタ部３と、コネクタ部３及び電力変換回路４０とを実装した回路基板４と、二次電池セル１と回路基板４が定位置に配置された電池ホルダ２を収納する本体ケース５とを備える。電池ホルダ２は、二次電池セル１を収納する電池収納領域２Ａと、コネクタ部３を配置するコネクタ配置領域２Ｂとを備えており、電池収納領域２Ａとコネクタ配置領域２Ｂとに跨って回路基板４を配置している。【選択図】図２
2013140686.tif 000002
【特許請求の範囲】
【請求項１】
外形を円筒状とし、端面を電極とした複数の二次電池セルと、
前記複数の二次電池セルを、端面を同一平面として互いに平行な姿勢で収納する電池ホルダと、
前記複数の二次電池セル同士を直列又は並列に接続した電力を、所定の出力電力に変換するための電力変換回路と、
前記出力電力を外部に出力するための出力端子、及び前記二次電池セルを充電するための充電電力を外部から受けるための入力端子とを設けたコネクタ部と、
前記コネクタ部及び電力変換回路とを実装した回路基板と、
前記二次電池セルと前記回路基板が定位置に配置された前記電池ホルダを収納する本体ケースと、  
を備える電源装置であって、
前記電池ホルダは、前記二次電池セルを収納する電池収納領域と、前記コネクタ部を配置するコネクタ配置領域とを備えており、該電池収納領域と該コネクタ配置領域とに跨って前記回路基板を配置してなることを特徴とする電源装置。
【請求項２】
請求項１に記載の電源装置であって、
前記電池ホルダは、前記電池収納領域において、その側面に前記二次電池セルの端面が位置する姿勢に、該二次電池セルを保持してなることを特徴とする電源装置。
【請求項３】
請求項１又は２に記載の電源装置であって、
前記回路基板は、前記電池ホルダの一面に配置されると共に、前記電池収納領域よりも長く形成されてなることを特徴とする電源装置。
【請求項４】
請求項１から３のいずれか一に記載の電源装置であって、
前記電池ホルダは、
一方の主面を、前記回路基板を配置する基板配置面とし、
他方の主面を、前記二次電池セルを収納する収納空間を複数設けた電池収納面としており、
前記電池収納面は、前記コネクタ配置領域の表面側に保持凹部を形成しており、
前記本体ケースは、前記電池ホルダの電池収納面と対向する内面に、
前記保持凹部に案内されて前記電池ホルダを係止状態に保持する凹部係止部と、
前記電池ホルダの前記電池収納領域側の端面を支持するホルダ端面支持部と、
を形成しており、
前記電池ホルダを前記本体ケースに収納した状態で、前記凹部係止部とホルダ端面支持部とで、前記電池ホルダの保持凹部と端面とを狭持するよう構成してなることを特徴とする電源装置。
【請求項５】
請求項４に記載の電源装置であって、
前記保持凹部が前記二次電池セルの軸方向に延びる溝状で、
前記本体ケースが、溝状の保持凹部の延長方向に離して複数の凹部係止部を内面から突出して設けられてなることを特徴とする電源装置。
【請求項６】
請求項４または５に記載の電源装置であって、
前記電池ホルダは、前記電池収納領域の両側面において、前記収納空間に収納される二次電池セルの端面にリード板を接続しており、
かつ、前記収納空間の両端開口部の基板配置面側に、前記リード板の少なくとも一部が露出するように切欠部を設けていることを特徴とする電源装置。
【請求項７】
請求項４から６のいずれか一に記載の電源装置であって、
前記電池ホルダは、前記コネクタ配置領域の基板配置面側であって、前記保持凹部の底面の裏面側から突出して、前記基板配置面に配置される回路基板を裏面側から支持する支持ボスを設けており、
前記支持ボスは、前記回路基板上に配置される押圧スイッチの裏面側に位置するように配置されてなることを特徴とする電源装置。
【請求項８】
請求項１から７のいずれか一に記載の電源装置であって、
前記電池ホルダの基板配置面には、前記コネクタ部を設けた側の端縁に、前記コネクタ部の外形に沿うよう形成されたコネクタガイドを形成しており、
前記コネクタガイドでもって、前記コネクタ部の外周を保持してなることを特徴とする電源装置。
【請求項９】
請求項１から８のいずれか一に記載の電源装置であって、
前記電池ホルダの基板配置面であって、前記電池収納面の裏面側には、前記リード板の一部を保持するリード用リブを形成してなることを特徴とする電源装置。
【請求項１０】
請求項１から９のいずれか一に記載の電源装置であって、
前記コネクタ部が、１２Ｖ出力と５Ｖ出力を備えることを特徴とする電源装置。
【請求項１１】
請求項１から１０のいずれか一に記載の電源装置であって、
前記コネクタ部が、ＵＳＢ端子と、丸ピン型端子を備えることを特徴とする電源装置。
【発明の詳細な説明】
【技術分野】
【０００１】
本発明は、携帯電気機器等に対して給電又は充電可能な電源装置に関する。
【背景技術】
【０００２】
ＵＳＢ出力を備え、携帯電話やスマートフォン、携帯音楽プレーヤ等を充電、あるいは駆動可能な電源装置が開発されている（例えば特許文献１）。
このような電源装置の一例を、図１１と図１２の分解斜視図に示す。これらの図に示す電源装置は、複数の円筒型の二次電池セル１０１と、ＵＳＢなどのコネクタ１０３類と、二次電池セル１０１の電圧を適切な出力電圧に変換するための電圧変換回路等を実装した回路基板１０４と、これらを収納する本体ケース１０５とを備えている。
【０００３】
このような電源装置では、高出力化のために使用する二次電池セルの本数を多くすると、本体ケースが長くなる。とくに、円筒型の二次電池セルを用いる場合、円筒状の外装缶同士が平行に並ぶような姿勢で二次電池セルが配置されるため、使用する二次電池セルの本数に比例して、本体ケースの全長は長くなる。
その一方で、このような電源装置は、携帯に便利なように小型化も求められている。このため、限られた本体ケース内に、二次電池セルの他、コネクタ類や回路基板等を配置しなければならない。
【０００４】
また、回路基板には、二次電池セルの出力を変換するための電圧変換回路等を実装した回路基板と、パワー系半導体などの発熱部材を実装する必要がある。このような発熱部材は、二次電池セルを安定的に使用するために、二次電池セルと離間させて配置することが本来的に望ましいところ、配置スペースの都合上、仕方なく二次電池セルと近い部位に配置されることとなる。例えば、図１１と図１２の電源装置の例では、二次電池セル１０１を収納する電池ホルダ１０２の上面に回路基板１０４を配置しており、この回路基板１０４上に発熱部材１０８であるＦＥＴなどが実装されている。このため、二次電池セル１０１の上面のほぼ中央に発熱部材１０８が配置される状態となっている。この状態から、発熱部材１０８を二次電池セル１０１から離間させるには、回路基板１０４と電池ホルダ１０２との間に空間を設ける必要があるが、この構成では本体ケース１０５の厚さが厚くなって、電源装置の大型化が不可避となる。
【先行技術文献】
【特許文献】
【０００５】
【特許文献１】特開２０１１−８７３９２号公報
【発明の概要】
【発明が解決しようとする課題】
【０００６】
本発明は、従来のこのような問題点に鑑みてなされたものである。本発明の主な目的は、本体ケースの大型化を避けつつ、二次電池セルと発熱部材を離間させた電源装置を提供することにある。
【課題を解決するための手段及び発明の効果】
【０００７】
上記目的を達成するために、本発明の第１の側面にかかる電源装置によれば、外形を円筒状とし、端面を電極とした複数の二次電池セル１と、前記複数の二次電池セル１を、端面を同一平面として互いに平行な姿勢で収納する電池ホルダ２と、前記複数の二次電池セル１同士を直列又は並列に接続した電力を、所定の出力電力に変換するための電力変換回路４０と、前記出力電力を外部に出力するための出力端子３１、及び前記二次電池セル１を充電するための充電電力を外部から受けるための入力端子３２とを設けたコネクタ部３と、前記コネクタ部３及び電力変換回路４０とを実装した回路基板４と、前記二次電池セル１と前記回路基板４が定位置に配置された前記電池ホルダ２を収納する本体ケース５とを備える電源装置であって、前記電池ホルダ２が、前記二次電池セル１を収納する電池収納領域２Ａと、前記コネクタ部３を配置するコネクタ配置領域２Ｂとを備えており、該電池収納領域２Ａと該コネクタ配置領域２Ｂとに跨って前記回路基板４を配置してなることを特徴とする。
以上の電源装置は、電池ホルダに電池収納領域とコネクタ配置領域とを設けて、この電池収納領域とコネクタ配置領域とに跨って配置される回路基板に二次電池セルとコネクタ部とを連結することにより、回路基板に固定されるパワー系半導体などの発熱部材を二次電池セル上に直接配置することなく、コネクタ部の裏側面と二次電池セルとの間の空間に配置することで、二次電池セルから離間して配置できる。したがって、本体ケースを厚くすることなく二次電池セルと発熱部材とを離間させることが可能となり、発熱部材の発熱に起因する二次電池セルへの弊害を解消できる。
【０００８】
また、本発明の第２の側面にかかる電源装置によれば、さらに前記電池ホルダ２は、前記電池収納領域２Ａにおいて、その側面に前記二次電池セル１の端面が位置する姿勢に、該二次電池セル１を保持することができる。
【０００９】
さらに、本発明の第３の側面にかかる電源装置によれば、前記回路基板４は、前記電池ホルダ２の一面に配置されると共に、前記電池収納領域２Ａよりも長く形成することができる。
【００１０】
さらに、本発明の第４の側面にかかる電源装置によれば、前記電池ホルダ２は、一方の主面を、前記回路基板４を配置する基板配置面２Ｘとし、他方の主面を、前記二次電池セル１を収納する収納空間１１を複数設けた電池収納面２Ｙとすると共に、前記電池収納面２Ｙは、前記コネクタ配置領域２Ｂの表面側に保持凹部２６を形成しており、さらに、前記本体ケース５は、前記電池ホルダ２の電池収納面２Ｙと対向する内面に、前記保持凹部２６に案内されて前記電池ホルダ２を係止状態に保持する凹部係止部５６と、前記電池ホルダ２の前記電池収納領域２Ａ側の端面を支持するホルダ端面支持部５７とを形成しており、前記電池ホルダ２を前記本体ケース５に収納した状態で、前記凹部係止部５６とホルダ端面支持部５７とで、前記電池ホルダ２の保持凹部２６と端面とを狭持するように構成することができる。
上記構成により、電池ホルダを本体ケースの凹部係止部とホルダ端面支持部とで挟持して、電池ホルダの変形を有効に防止できる。とくに、この電池ホルダは、二次電池セルを収納する電池収納領域とコネクタ部を配置するコネクタ配置領域とを設けているので、電池ホルダの全長が長くなる上、電池ホルダに収納する二次電池セルの数が多くなるほど、電池ホルダが長くなって、この長さ方向に対して撓みやすくなるが、電池ホルダの両端面を単に保持するのでなく、二次電池セルの収納部分である電池収納領域を、本体ケースから突出させた凹部係止部とホルダ端面支持部とで挟持することにより、電池ホルダの変形を防止して電池ホルダの機械的な強度を増すことができる。
【００１１】
さらに、本発明の第５の側面にかかる電源装置によれば、前記保持凹部２６が前記二次電池セル１の軸方向に延びる溝状で、前記本体ケース５が溝状の保持凹部２６の延長方向に離れて複数の凹部係止部５６を内面から突出して設けることができる。
上記構成により、溝状の保持凹部で電池ホルダを補強して、保持凹部の延長方向に対する電池ホルダの撓みを有効に防止できる。
【００１２】
さらに、本発明の第６の側面にかかる電源装置によれば、前記電池ホルダ２は、前記電池収納領域２Ａの両側面において、前記収納空間１１に収納される二次電池セル１の端面にリード板６を接続しており、かつ、前記収納空間１１の両側開口部の基板配置面２Ｘ側に、前記リード板６の少なくとも一部が露出するように切欠部１７を設けることができる。
上記構成により、電池ホルダの側面からリード板を配置して、二次電池セルの端面にリード板を能率良く接続できる。また、収納空間の基板配置面側に切欠部を設けた電池ホルダであっても、電池収納領域を凹部係止部とホルダ端面支持部との狭持によって保持することで電池ホルダの変形を有効に防止できる。
【００１３】
さらに、本発明の第７の側面にかかる電源装置によれば、前記電池ホルダ２は、前記コネクタ配置領域２Ｂの基板配置面２Ｘ側であって、前記保持凹部２６の底面２６Ａの裏面側から突出して、前記基板配置面２Ｘに配置される回路基板４を裏面側から支持する支持ボス２７を設けて、前記支持ボス２７は、前記回路基板４上に配置される押圧スイッチ３６の裏面側に位置するように配置することができる。
上記構成により、回路基板を押圧スイッチの裏面側から支持ボスで受けることにより、押圧スイッチの押圧時に印加される外力に対向できる。また、このような支持ボスを、保持凹部から延長させることで支持ボスの長さを短くでき、強度面、コスト面でも有利となる。
【００１４】
さらに、本発明の第８の側面にかかる電源装置によれば、前記電池ホルダ２は、前記コネクタ配置領域２Ｂ側の端面に、前記コネクタ部３の外形に沿うように形成されたコネクタガイド２５を形成して、前記コネクタガイド２５でもって、前記コネクタ部３の外周を保持することができる。
上記構成により、コネクタ部の外周を電池ホルダで覆うことができ、コネクタ部の位置決めと保持を図ることができる。
【００１５】
さらに、本発明の第９の側面にかかる電源装置によれば、前記電池ホルダ２の基板配置面２Ｘであって、前記収納空間１１の裏面側に、前記リード板６の一部を保持するリード用リブ１８を形成することができる。
上記構成により、リード板をリード用リブで保持して安定させることができる。
【００１６】
さらに、本発明の第１０の側面にかかる電源装置によれば、前記コネクタ部３が、１２Ｖ出力と５Ｖ出力とを備えることができる。
【００１７】
さらに、本発明の第１１の側面にかかる電源装置によれば、前記コネクタ部３が、ＵＳＢ端子３３と、丸ピン型端子３４とを備えることができる。
【図面の簡単な説明】
【００１８】
【図１】本発明の実施例１に係る電源装置を示す斜視図である。
【図２】図１に示す電源装置のＩＩ−ＩＩ線断面図である。
【図３】図１に示す電源装置の背面斜視図である。
【図４】図３に示す電源装置の一部拡大分解斜視図である。
【図５】図４に示す電源装置を下側から見た一部拡大分解斜視図である。
【図６】図４に示す電源装置の電池コア９の斜視図である。
【図７】図６に示す電池コアの分解斜視図である。
【図８】電池ホルダと二次電池セルとの分解斜視図である。
【図９】図１に示す電源装置のＩＸ−ＩＸ線断面図である。
【図１０】本発明の実施例１に係る電源装置のブロック図である。
【図１１】従来の電源装置を示す分解斜視図である。
【図１２】図１１の電源装置の電池ホルダの分解斜視図である。
【発明を実施するための形態】
【００１９】
以下、本発明の実施の形態を図面に基づいて説明する。ただし、以下に示す実施の形態は、本発明の技術思想を具体化するための電源装置を例示するものであって、本発明は電源装置を以下のものに特定しない。さらに、本明細書は、特許請求の範囲を理解し易いように、実施の形態に示される部材に対応する番号を、「特許請求の範囲の欄」、及び「課題を解決するための手段の欄」に示される部材に付記しているが、特許請求の範囲に示される部材を、実施の形態の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２０】
（実施例１）
本発明の実施例１に係る電源装置を図１ないし図１０に示す。これらの図に示す電源装置は、屋内に設置して使用する据置きタイプの電源装置として使用でき、あるいは、携帯して持ち運びできる携帯式の電源装置として使用できる。図に示す電源装置は、充電できる複数の二次電池セル１と、複数の二次電池セル１を、端面を同一平面として互いに平行な姿勢で収納する電池ホルダ２と、複数の二次電池セル１同士を直列又は並列に接続した電力を、所定の出力電力に変換するための電力変換回路４０と、出力電力を外部に出力するための出力端子、及び二次電池セルを充電するための充電電力を外部から受けるための入力端子とを設けたコネクタ部３と、このコネクタ部３及び電力変換回路４０とを実装した回路基板４と、二次電池セル１と回路基板４が固定された電池ホルダ２を収納する本体ケース５とを備えている。これらの図に示す電源装置は、複数の二次電池セル１と回路基板４とを電池ホルダ２の定位置に配置して電池コア９とし、この電池コア９を本体ケース５の内部に収納している。
【００２１】
（二次電池セル）
二次電池セル１は、外形を円筒形とする充電可能な二次電池である。二次電池セル１は、好適にはリチウムイオン電池が利用できるが、必ずしもリチウムイオン電池とする必要はなく、たとえば、ニッケル水素電池やニッケルカドミウム電池、ポリマー電池等の充電できる他の全ての電池とすることもできる。電源装置は、複数の二次電池セル１を備えている。複数の二次電池セル１は、互いに直列に接続して出力電圧を高くし、また並列に接続して出力電流を大きくできる。図の電源装置は、３本の二次電池セル１を備えており、３本の二次電池セル１を直列に接続している。ただ、電源装置は、内蔵する二次電池セルの本数や接続状態を特定しない。電源装置は、内蔵する二次電池セルの本数とその接続状態を種々に設計できる。
【００２２】
（電池ホルダ２）
電池ホルダ２は、プラスチックで所定の形状に成形している。電池ホルダ２は、耐熱性及び絶縁性に優れた材質で構成され、例えば、ポリカーボネートやポリプロピレンなどの樹脂が利用される。図２及び図６ないし図８に示す電池ホルダ２は、二次電池セル１を収納する電池収納領域２Ａと、コネクタ部３を配置するコネクタ配置領域２Ｂとを設けている。図の電池ホルダ２は平面形状を長方形としており、片側部分を電池収納領域２Ａとして、複数の二次電池セル１を収納する電池収納部１０を設けると共に、残りの片側部分を、コネクタ配置領域２Ｂとして、回路基板４に固定されたコネクタ部３を収納するコネクタ収納部２０を設けている。さらに、電池ホルダ２は、一方の主面（図２及び図７において上面側）を、回路基板４を配置する基板配置面２Ｘとし、他方の主面（図２及び図７において下面側）を、二次電池セル１を収納する収納空間１１を複数設けた電池収納面２Ｙとしている。
【００２３】
電池ホルダ２は、電池収納部１０とコネクタ収納部２０とを一体的に成形している。図７と図８の電池ホルダ２は、全体の外形を略直方体として、電池収納部１０とコネクタ収納部２０とをほぼ等しい厚さとしている。電池収納部１０は、ここに収納される二次電池セル１の外径とほぼ等しい厚さとしている。この電池ホルダ２は、二次電池セル１を収納空間１１に収納し、基板配置面２Ｘに回路基板４を配置した状態における全体の厚さを、二次電池セル１の外径と回路基板４の厚さとの和にほぼ等しくして、全体を薄くしながら本体ケース５に収納できる。
【００２４】
電池収納部１０は、複数の二次電池セル１を定位置に収納するために、複数の収納空間１１を備えている。図２と図８に示す電池収納部１０は、互いに平行な姿勢で配置される３本の二次電池セル１の挿入側の対向面（図２において上面）に沿って配設される底プレート１２と、この底プレート１２に一体的に成形されて、隣接する３本の二次電池セル１の間と外側に配置される複数の垂直壁１３とを有している。この電池ホルダ２は、対向する垂直壁１３と底プレート１２とで二次電池セル１を定位置に配置する溝状の収納空間１１を形成している。なお、図８に示す電池ホルダ２は、二次電池セルを収納する状態をわかりやすくするために、図２及び図７に示す姿勢から上下を反転させた状態を示している。電池収納部１０は、複数の垂直壁１３を平行に配列しており、複数列の収納空間１１を平行に設けている。電池収納部１０は、基板配置面２Ｘに底プレート１２を設けると共に、電池収納面２Ｙ側に複数の垂直壁１３を設けて、溝状の収納空間１１を電池収納面２Ｙ側に開口している。図の電池ホルダ２は、電池収納面２Ｙに３列の収納空間１１を設けて、３本の二次電池セル１を互いに平行に収納している。電池ホルダ２に収納される３本の二次電池セル１は、リード板６を介して互いに直列に接続している。
【００２５】
さらに、電池収納部１０は、各々の収納空間１１の底部を円筒形の二次電池セル１の外形に沿うＵ字状としている。図２に示す底プレート１２は、各収納空間１１の底面１２Ａを、二次電池セル１の外形に沿う円弧状として、その横断面形状を、３列の円弧状の底面１２Ａを連結してなる形状としている。この収納空間１１は、ここに配置される二次電池セル１の表面の一部を電池ホルダ２の外部に表出させる。この構造は、二次電池セル１の表出部からの放熱をよくして、二次電池セル１を効率よく冷却できる。さらに、図７に示す底プレート１２は、裏面側である基板配置面２Ｘ側において、互いに隣接する収納空間１１の円弧状の底面１２Ａに連結リブ１６を連結して設けている。この連結リブ１６は、隣接する収納空間１１の間の裏面側に位置して、二次電池セル１の軸方向に対して垂直な姿勢で設けている。図７の電池収納部１０は、複数の連結リブ１６を備えており、各々の連結リブ１９を二次電池セル１の軸方向に離して互いに平行な姿勢で設けている。これにより、電池ホルダ２の電池収納部１０が、収納空間１１の開口部を開く方向に撓るのを防止している。
【００２６】
電池ホルダ２は、電池収納部１０の側面に二次電池セル１の端面が位置する姿勢に二次電池セル１を保持している。電池ホルダ２は、電池収納部１０の両側面において、収納空間１１に収納される二次電池セル１の端面にリード板６を連結している。図７と図８の電池ホルダ２は、収納空間１１の両端開口部の基板配置面２Ｘ側に、リード板６の少なくとも一部が露出するように切欠部１７を設けている。図のリード板６は、回路基板４に接続するための接続片６ｘを突出して設けており、リード板６の接続部６ａを収納空間１１の両端開口に配置する状態で、この接続片６ｘを切欠部１７に配置して、接続片６ｘを基板配置面２Ｘ側に露出するようにしている。さらに、電池収納部１０は、電池ホルダ２の基板配置面２Ｘであって、収納空間１１の裏面側に、リード板６の一部を保持するリード用リブ１８を形成している。図７のリード板６は、切欠部１７から露出する接続片６ｘの先端部を折曲しており、この折曲部６ｙをリード用リブ１８に案内している。図７に示す電池ホルダ２は、底プレート１２の裏面側に、折曲部６ｙを案内できる溝状のリード用リブ１８を形成している。
【００２７】
コネクタ収納部２０は、電池ホルダ２の電池収納面２Ｙに配置される表面プレート２２と、この表面プレート２２の両側縁に連結されて電池ホルダ２の側面に配置される側壁２３と、表面プレート２２の端縁に連結されて電池ホルダ２の端面に配置される端面壁２４とを有している。図２、及び図６ないし図８に示すコネクタ収納部２０は、電池収納領域２Ａとコネクタ配置領域２Ｂの境界に配置される垂直壁１３を境界壁１５として、電池収納部１０に一体的に連結している。表面プレート２２は、端面壁２４と反対側の端縁を、境界壁１５である垂直壁１３の先端縁に連結している。また、両側の側壁２３は、一方の端縁を端面壁２４に連結すると共に、他方の端縁を電池収納部１０まで延長して、境界壁１５である垂直壁１３の両端に連結している。図のコネクタ収納部２０は、表面プレート２２と一対の側壁２３と端面壁２４と境界壁１５とで形成される空間をコネクタ部３を収納する収納スペース２１としている。
【００２８】
さらに、電池ホルダ２は、コネクタ配置領域２Ｂ側の端面、すなわち、コネクタ収納部２０の端面壁２４に、コネクタ部３の外形に沿うように形成されたコネクタガイド２５を形成している。コネクタガイド２５は、コネクタ収納部２０の端面壁２４をコネクタ部３の外形に沿って切り欠いて設けている。この構造は、コネクタ部３の外周をコネクタガイド２５の開口縁で覆うことができ、コネクタ部３を定位置に位置決めしながら、保持できる特徴がある。図６と図７に示す回路基板４は、一方の端縁に、複数の出力端子３１及び入力端子３２からなるコネクタ部３を備えている。このコネクタ部３は、２組の出力端子３１と２組の入力端子３２とを備えている。したがって、端面壁２４は、各々の出力端子３１及び入力端子３２の外形に沿う４個のコネクタガイド２５Ａ、２５Ｂ、２５Ｃ、２５Ｄを形成している。図の端面壁２４は、片側半分に２つのコネクタガイド２５Ａ、２５Ｂを設けると共に、残りの片側半分に２つのコネクタガイド２５Ｃ、２５Ｄを設けている。さらに、図の端面壁２４は、４つのコネクタガイド２５の中間に、本体ケース５の挿通ボスを案内するボス収納凹部２９を設けている。さらに、図７に示す電池ホルダ２は、端面壁２４のコネクタガイド２５に配置されるコネクタを電池収納面２Ｙ側から支持する支持凸部２２ａも、表面プレート２２から内面側に突出して設けている。
【００２９】
さらに、電池ホルダ２は、コネクタ配置領域２Ｂの電池収納面２Ｙに、すなわち、コネクタ収納部２０の表面プレート２２の表面に保持凹部２６を形成している。図５、図８、及び図９に示す保持凹部２６は、二次電池セル１の軸方向に延びる溝状に成形している。保持凹部２６を細長い溝状とする電池ホルダ２は、保持凹部２６を補強リブに兼用して、表面プレート２２が二次電池セル１の軸方向に対して撓るのを有効に防止できる。図に示す保持凹部２６は、境界壁１５に接近して、境界壁１５に平行な姿勢で設けている。この保持凹部２６は、電池ホルダ２を本体ケース５に収納する状態で、本体ケース５の内面から突出して設けた凹部係止部５６（詳細には後述する）が案内されて、電池ホルダ２を定位置に保持する。
【００３０】
さらに、電池ホルダ２は、基板配置面２Ｘに配置される回路基板４を裏面側から支持する支持ボス２７を、コネクタ収納部２０の基板配置面２Ｘ側に設けている。図２、図７、及び図９に示す電池ホルダ２は、保持凹部２６の底面２６Ａの裏面側から突出して、基板配置面２Ｘ側に延びる支持ボス２７を設けている。図に示す支持ボス２７は筒状で、保持凹部２６の底面２６Ａに一体成形して設けている。保持凹部２６の底面２６Ａの裏面側から突出する支持ボス２７は、その先端面が、基板配置面２Ｘに配置される回路基板４の裏面に当接する長さとしている。このように、保持凹部２６の底面２６Ａの裏面側から突出して成形される支持ボス２７は、支持ボス２７の長さを短くして、支持ボス２７の支持強度を大きくできる特徴がある。ただ、支持ボスは、保持凹部の底面から突出することなく、表面プレートの内側面から基板配置面側に突出して設けることもできる。
【００３１】
以上の支持ボス２７は、回路基板４上に配置される押圧スイッチ３６の裏面側に位置するように配置している。図７と図９に示す回路基板４は、表面側に２個の押圧スイッチ３６を設けているので、電池ホルダ２は、２本の支持ボス２７を、２個の押圧スイッチ３６の裏面側に位置して設けている。以上の構造は、押圧スイッチ３６の裏面側から回路基板４を支持ボス２７で支持することにより、押圧スイッチ３６の押圧時に印加される外力に対向して、回路基板にかかる負荷を低減しながら、押圧スイッチ３６を確実に操作できる。
【００３２】
以上の電池ホルダ２は、基板配置面２Ｘにおいて、電池収納領域２Ａとコネクタ配置領域２Ｂとに跨って回路基板４を配置している。電池ホルダ２は、基板配置面２Ｘの定位置に回路基板４を配置するために、回路基板４の両側縁とコーナー部に沿うガイド壁１９を設けており、このガイド壁１９の内側を基板収納部２８としている。電池ホルダ２は、コネクタ収納部２０の両側の側壁２３の先端部と端面壁２４の一部をガイド壁１９とすると共に、電池収納部１０の側面においても、切欠部１７を除く部分に、基板配置面２Ｘ側に突出するガイド壁１９を設けている。
【００３３】
（リード板６）
リード板６は、収納空間１１に配置される二次電池セル１の両端にスポット溶接などの方法で連結される。図７に示す電池コア９は、電池ホルダ２の両側面にリード板６を配設し、このリード板６を二次電池セル１の端部電極にスポット溶接して、３本の二次電池セル１を直列に接続しながら電池ホルダ２の定位置に固定している。リード板６は、図８に示すように、互いに隣接する二次電池セル１の端面電極に跨って連結されて、これらの二次電池セル１を直列に接続する第１リード板６Ａと、互いに直列に接続された二次電池セル１の両端に位置する端面電極に連結されて電力を出力する第２リード板６Ｂとを備えている。第１リード板６Ａは、互いに隣接する二次電池セル１の端面電極に接続される接続部６ａを、連結部６ｂで連結してなる形状としており、一方の接続部６ａから突出して接続片６ｘを設けている。第２リード板６Ｂは、二次電池セル１の端面電極に接続される接続部６ａから突出して接続片６ｘを設けている。
【００３４】
以上のリード板６は、図７に示すように、接続部６ａを収納空間１１の両端開口に配置して二次電池セル１の端面電極に接続すると共に、接続片６ｘを電池ホルダ２に設けた切欠部１７に通過させて回路基板４に接続している。図７と図８に示すリード板６は、接続片６ｘの先端部を、水平方向に延長すると共に、この延長部分を二次電池セル１の軸方向に折曲して、垂直姿勢の折曲部６ｙを設けている。この折曲部６ｙは、電池ホルダ２の基板配置面２Ｘに設けたリード用リブ１８に案内されて定位置に保持される。さらに、この折曲部６ｙは、図６と図７に示すように、回路基板４の対向位置に設けたスリット４ｙに案内されると共に、ハンダ付け等によって回路基板４に連結される。
【００３５】
（コネクタ部３）
コネクタ部３は、回路基板４に固定されて、電池ホルダ２のコネクタ収納部２０に配置される。図７は、回路基板４に固定されたコネクタ部３を、電池ホルダ２の定位置に配置する状態を示している。図に示すコネクタ部３は、出力電力を外部に出力するための出力端子３１と、二次電池セル１を充電するための充電電力を外部から受けるための入力端子３２とを備える。図の電源装置は、出入力電圧の異なる２組のコネクタ部３を備えている。したがって、この電源装置は、出力電圧の異なる２組の出力端子３１と、入力電圧の異なる２組の入力端子３２とを備えている。図６と図７に示すコネクタ部３は、出入力の電圧を５Ｖとする第１のコネクタ部３Ａと、出入力の電圧を１２Ｖとする第２のコネクタ部３Ｂとを備えている。第１のコネクタ部３Ａは、出力電圧を５Ｖとする第１の出力端子３１Ａと、入力電圧を５Ｖとする第１の入力端子３２Ｂとを備えている。また、第２のコネクタ部３Ｂは、出力電圧を１２Ｖとする第２の出力端子３１Ｃと、入力電圧を１２Ｖとする第２の入力端子３２Ｄとを備えている。コネクタ部３である４個の出力端子３１及び入力端子３２は、回路基板４の一方の端縁に並べて固定している。
【００３６】
コネクタ部３は、規格化されたコネクタを備えている。このような標準化された仕様に従ったコネクタ部３を備えることで、該規格に合致した既存の電気機器を接続して給電でき、また、内蔵する二次電池セル１を充電できる。図６と図７に示す第１のコネクタ部３Ａは、５Ｖ用の出力端子３１及び入力端子３２としてＵＳＢ端子３３を備えている。図の第１のコネクタ部３Ａは、第１の出力端子３１Ａを標準ＵＳＢ端子３３Ａとし、第１の入力端子３２ＢをミニＵＳＢ端子３３Ｂとしている。図の第１のコネクタ部３Ａは、２組の標準ＵＳＢ端子３３Ａを備えており、これらの標準ＵＳＢ端子３３Ａを上下２段に重ねて回路基板４に固定している。また、図に示す第２のコネクタ部３Ｂは、１２Ｖ用の出力端子３１及び入力端子３２として丸ピン型端子３４を備えている。図の第２のコネクタ部３Ｂは、第２の出力端子３１Ｃを丸ピン型出力端子３４Ｃとし、第２の入力端子３２Ｄを丸ピン型入力端子３４Ｄとしている。
【００３７】
以上の電源装置は、各々の出力端子３１に所定の定格電圧の電気機器を接続して、内蔵する二次電池セル１から外部に電力を供給する。たとえば、この電源装置は、５Ｖ用の第１の出力端子３１Ａに、携帯電話機や携帯式の音響機器、ＩＣレコーダ、ＭＰプレイヤー等を接続して電力供給でき、また、１２Ｖ用の第２の出力端子３１Ｃに、電話機、パソコン、各種通信機器、及びその周辺機器等を接続して電力供給できる。この電源装置は、屋内に設置して使用する状態、あるいは携帯して持ち運ぶ使用状態においても、これらの機器を接続して電力供給できるので、停電時や災害時、非常時、外出時等においても、種々の電気機器が使用可能となる。また、この電源装置は、各々の入力端子３２に所定の定格電圧の電力供給源を接続して、供給される電力で、内蔵する二次電池セル１を充電する。たとえば、この電源装置は、５Ｖ用の第１の入力端子３２Ｂに、出力側をミニＵＳＢ端子とする充電器等の電力供給源を接続して、内蔵する二次電池セル１を充電でき、また、１２Ｖ用の第２の入力端子３２Ｄに、出力電圧を１２ＶとするＡＣアダプタ等の電力供給源を接続して、内蔵する二次電池セル１を充電できる。
【００３８】
（回路基板）
回路基板４は、電池ホルダ２の基板配置面２Ｘに配置している。回路基板４は、図２と図６に示すように、電池ホルダ２の電池収納領域２Ａとコネクタ配置領域２Ｂとに跨って配置される。したがって、回路基板４は、電池収納領域２Ａよりも長く形成することができる。図に示す回路基板４は、電池収納領域２Ａとコネクタ配置領域２Ｂのほぼ全体にわたって配置している。ただ、回路基板は、電池収納領域とコネクタ配置領域のいずれか一方または両方に、部分的に跨って配置することもできる。回路基板４は、図２と図６に示すように二次電池セル１を収納した電池収納部１０の上方と、コネクタ部３を配置するコネクタ収納部２０の上方とに跨って配置される。この回路基板４は、電池収納部１０の上方に配置されることで、二次電池セル１に接続されるリード板６を直接にハンダ付け等の方法で接続でき、また、コネクタ収納部２０の上方に配置されることで、回路基板４に固定したコネクタ部３をコネクタ収納部２０の所定の位置に配置できる。
【００３９】
回路基板４は、一方の端縁にコネクタ部３を固定している。図６と図７に示す回路基板４は、電源装置の背面側となる端面に対向して４個の出力端子３１及び入力端子３２を固定している。図６と図７に示す回路基板４は、端縁の片側半分（図において左側）に第１のコネクタ部３Ａを配置して、残りの片側半分（図において右側）に第２のコネクタ部３Ｂを配置している。すなわち、図６と図７に示す回路基板４は、片側（図において左側）から順に、第１の入力端子３２ＢであるミニＵＳＢ端子３３Ｂ、第１の出力端子３１Ａである２段に積層された標準ＵＳＢ端子３３Ａ、第２の入力端子３２Ｄである丸ピン型入力端子３４Ｄ、第２の出力端子３１Ｃである丸ピン型出力端子３４Ｃを固定している。以上のＵＳＢ端子３３及び丸ピン型端子３４は、複数の接続ピンを回路基板４に挿入して物理的に連結し、この状態で接続ピンを回路基板４の導電部にハンダ付けして回路基板４に固定し、また電気接続される。
【００４０】
さらに、回路基板４は、図２に示すように、パワー系半導体などの発熱部材３８を実装している。この回路基板は、これらの発熱部材３８を、電池ホルダ２の電池収納領域２Ａに対向して配置することなく、コネクタ配置領域２Ｂに対向して配置している。すなわち、回路基板４は、電池ホルダ２のコネクタ収納部２０に対向して配置される部分の表面あるいは裏面側に位置して発熱部材３８を配置している。これにより、発熱部材３８を二次電池セル１上に直接位置させることなく、二次電池セル１から離れた位置に配置して、発熱部材３８の発熱による二次電池セルへの弊害を有効に防止している。
【００４１】
さらに、回路基板４は、二次電池セル１の出力電圧を変換する電力変換回路４０等の電子部品を実装している。図１０は、回路基板４に実装される電子部品のブロック図を示している。この電源装置は、外部から入力される電力で二次電池セル１を充電する充電回路４１と、この充電回路４１で充電される二次電池セル１の電圧を所定の電圧に安定化して出力する電力変換回路４０と、押圧スイッチ３６から入力される信号を検出して、電力変換回路４０の動作状態を切り換える制御回路４２と、この制御回路４２に制御されて、電力変換回路４０の出力側に接続される出力端子３１を切り換える切換スイッチ４３と、温度センサ３９で検出される二次電池セル１の検出温度と、電池電圧とから二次電池セル１の充放電を制御する保護回路４４とを備えている。
【００４２】
充電回路４１は、入力端子３２に接続される電力供給源から供給される電力で二次電池セル１を充電する。充電回路４１は、入力端子３２に電力供給源が接続されると、このことを入力電流、または入力電圧から検出すると共に、供給される電力を、二次電池セル１を充電できる電力に変換して二次電池セル１を充電する。二次電池セル１をリチウムイオン電池とする電源装置にあっては、この充電回路４１が定電流定電圧充電して二次電池セル１を満充電する。また、二次電池セルをニッケル水素電池やニッケルカドミウム電池とする電源装置にあっては、充電回路が定電流充電して二次電池セルを満充電する。さらに、充電回路４１は、二次電池セル１が満充電され、あるいは所定の残容量となると充電を停止する。
【００４３】
電力変換回路４０は、二次電池セル１の出力を、５Ｖまたは１２Ｖの出力電圧に変換して安定化して出力するＤＣ／ＤＣコンバータ４０Ａである。ＤＣ／ＤＣコンバータ４０Ａである電力変換回路４０は、制御回路４２から入力される信号に基づいて、出力電圧を５Ｖと１２Ｖに切り換えて出力する。すなわち、ユーザーが押圧スイッチ３６を操作して使用する電圧を選択すると、この信号が制御回路４２からＤＣ／ＤＣコンバータ４０Ａに入力されて、ＤＣ／ＤＣコンバータ４０Ａが二次電池セル１の出力を所定の電圧に変換して出力する。このＤＣ／ＤＣコンバータ４０Ａは、制御回路４２から信号が入力されると動作状態となって、所定の電圧に安定化された電力を、出力側に接続している出力端子３１に供給する。さらに、電力変換回路４０は、出力端子３１に接続している電子機器等が外されると、このことを出力電流で検出できる。電子機器が外されると出力電流が０Ａとなるからである。電子機器が外されると、電力変換回路４０は、このことを示す信号を制御回路４２に伝送すると共に、出力端子３１への出力電力の供給を停止する。
【００４４】
制御回路４２は、ユーザーによって操作される押圧スイッチ３６が接続されており、押圧スイッチ３６から入力される信号を検出して、電力変換回路４０に動作状態を切り換える信号を出力する共に、切換スイッチ４８を制御して、電力変換回路４０の出力側に接続される出力端子３１を切り換える。切換スイッチ４３は、制御回路４２からの信号で制御されて、電力変換回路４０の出力側を、第１の出力端子３１Ａと第２の出力端子３１Ｃとに切り換えて接続する。この制御回路４２は、ユーザーによって、５Ｖ用の押圧スイッチ３６がＯＮに操作されると、出力電圧を５Ｖとする信号を電力変換回路４０に出力すると共に、切換スイッチ４３を制御して、電力変換回路４０の出力側に５Ｖ用の出力端子３１である第１の出力端子１Ａを接続する。また、制御回路４３は、１２Ｖ用の押圧スイッチ３６がＯＮに操作されると、出力電圧を１２Ｖとする信号を電力変換回路４０に出力すると共に、切換スイッチ４３を制御して、電力変換回路４０の出力側に１２Ｖ用の出力端子３１である第２の出力端子３１Ｃを接続する。
【００４５】
保護回路４４は、電池温度と電池電圧を検出して二次電池セル１の充放電をコントロールする。電池温度は、二次電池セル１の表面に熱結合状態に固定している温度センサ３９で検出される。したがって、保護回路４４には温度センサ３９を接続している。保護回路４４は、二次電池セル１の充放電電流を制限する温度を記憶するメモリ（図示せず）を備えており、このメモリに、電池温度に対する許容電流を記憶している。この保護回路４４は、電池温度から二次電池セル１を充放電する電流を許容電流よりも小さく制御して二次電池セル１を保護する。さらに、保護回路４４は、二次電池セル１の電圧を検出して充放電を制御する。この保護回路４４は、充電している二次電池セル１の電圧が最高電圧まで上昇すると充電を停止し、また、放電している二次電池セル１の電圧が最低電圧まで低下すると放電を停止する。この保護回路４４は、電池温度や電池電圧の異常を検出すると、充電回路４１を制御して二次電池セル１の充電を停止し、また、制御回路４２を制御して二次電池セル１の放電を停止する。
【００４６】
さらに、図１０の電源装置は、二次電池セル１の残容量を検出する検出回路４５と、この検出回路４５で検出された残容量や、電源装置の使用状態を外部に表示する表示部４６を備えている。検出回路４５は、二次電池セル１の電圧や二次電池セル１の電流から残容量を演算している。検出回路４５で検出した二次電池セル１の残容量は、表示部４６を介して外部に表示される。表示部４６は、光源である発光ダイオード３７と、この発光ダイオード３７の点灯回路４７とを備えている。この表示部４６は、押圧スイッチ３６が操作されて制御回路４２から信号が入力されると、発光ダイオード３７を点灯して所定の時間にわたって二次電池セルの残容量や電源装置の使用状態を表示する。発光ダイオード３７は、図７に示すように、回路基板４に固定しており、点灯回路４７に制御されて二次電池セル１の残容量や使用状態を表示する。この表示部４６は、発光ダイオード３７の発光色や点滅パターンで残容量を表示する。
【００４７】
（本体ケース５）
本体ケース５は、図１ないし図５、及び図９に示すように、プラスチックで別々に成形している第１ケース５Ａと第２ケース５Ｂからなる。第１ケース５Ａは、四角形の底面プレート５１の周囲に周壁５３を設けた形状に成形している。第２ケース５Ｂは、四角形の上面プレート５２の周囲に周壁５３を設けた形状に成形している。第１ケース５Ａと第２ケース５Ｂは、対向する周壁５３の開口縁を互いに連結して、内部に電池コア９の収納部を形成している。
【００４８】
図４と図５に示す第１ケース５Ａと第２ケース５Ｂは、止ネジ６０を介して互いに連結している。上に位置する第２ケース５Ｂは、止ネジ６０がねじ込まれる固定ボス５８を上面プレート５２から突出して設けている。下に位置する第１ケース５Ａは、第２ケース５Ｂの固定ボス５８にねじ込む止ネジ６０を挿通する挿通ボス５９を底面プレート５１から突出して設けている。挿通ボス５９は、止ネジ６０を挿通できる筒状で、先端部に止ネジ６０のネジ部を貫通させる貫通孔を開口している。さらに、挿通ボス５９は、その先端面に、固形ボスの先端部を案内する凹部を設けている。図４と図５に示す本体ケースは、前面の両側のコーナー部と、背面の中央部の３箇所に、上下に対向して固定ボス５８と挿通ボス５９とを設けている。第１ケース５Ａと第２ケース５Ｂは、挿通ボス５９を貫通する止ネジ６０が固定ボス５８にねじ込まれて互いに連結される。
【００４９】
さらに、第１ケース５Ａは、ここに収納される電池コア９を定位置に配置すると共に、複数の二次電池セル１が収納された電池ホルダ２の変形を阻止するために、電池ホルダ２の保持凹部２６に案内される凹部係止部５６と、電池ホルダ２の電池収納部１０側の端面壁１４である垂直壁１３の外側面に当接して支持するホルダ端面支持壁５７とを底面プレート５１から突出して設けている。第１ケース５Ａは、凹部係止部５６とホルダ端面支持壁５７とを底面プレート５１に一体成形して設けている。
【００５０】
凹部係止部５６は、第１ケース５Ａに収納される電池コア９のコネクタ配置領域２Ｂであって、コネクタ収納部２０の表面プレート２２に設けた保持凹部２６に対向して設けている。図２、図４、及び図９に示す第１ケース５Ａは、溝状の保持凹部２６の延長方向に離して、正確には、溝状の保持凹部２６の両端部に位置して２組の凹部係止部５６を設けている。各々の凹部係止部５６は、互いに平行に配設された一対の平行リブ５６Ａと、これらの平行リブ５６Ａの中間を連結してなる垂直リブ５６Ｂとを備えている。一対の平行リブ５６Ａは、電池収納部１０に収納される二次電池セル１の軸方向に対して垂直な姿勢としている。平行リブ５６Ａは、図２に示すように、下端部の横幅を、保持凹部２６の開口部の横幅とほぼ等しくし、あるいはやや小さくしており、保持凹部２６に案内する状態で、その両端面を保持凹部２６の両側の内面に当接させて、電池ホルダ２を二次電池セル１の配列方向に対して位置決めしながら保持できるようにしている。垂直リブ５６Ｂは、一対の平行リブ５６Ａを連結すると共に、保持凹部２６の両端側に位置する内面に向かって突出する突出部５６ｂを設けている。一対の凹部係止部５６は、図９に示すように、各々の突出部５６ｂの外側の端面を、保持凹部２６の両端の内面に当接させており、一対の凹部係止部５６を保持凹部２６の両端部に案内する状態で、電池ホルダ２を二次電池セル１の軸方向に対して正確に位置決めできるようにしている。さらに、図２と図９に示す凹部係止部５６は、保持凹部２６にスムーズに案内できるように、平行リブ５６Ａの上端部を山形に成形すると共に、突出部５６ｂの上端部に傾斜面を設けている。
【００５１】
端面支持壁５７は、第１ケース５Ａに収納される電池コア９の電池収納領域２Ａ側の端面であって、電池収納部１０の端面壁１４の外側面に対向して設けている。図４に示す第１ケース５Ａは、電池ホルダ２の端面壁１４の中央部に沿って端面支持壁５７を設けている。さらに、図２と図４に示す第１ケース５Ａは、この端面支持壁５７と、前面側のコーナー部に設けた２つの挿通ボス５９とを一直線状に配置しており、端面支持壁５７と挿通ボス５９の両方を電池ホルダ２の端面壁１４に当接させる状態で電池ホルダ２を支持できるようにしている。
【００５２】
以上の第１ケース５Ａは、電池コア９を収納する状態で、ホルダ端面支持壁５７を電池ホルダ２の端面壁１４の外側面に沿って配置すると共に、凹部係止部５６を電池ホルダ２の保持凹部２６に案内して、電池ホルダ２を定位置に保持する。とくに、この第１ケース５Ａは、複数の二次電池セル１が収納された電池収納部１０の両側、すなわち、複数の二次電池セル１の配列方向における両端部分を、ホルダ端面支持壁５７と凹部係止部５６とで挟着する状態で支持するので、効果的に電池収納部１０の変形を防止できる。とくに、電池収納部１０が、収納空間１１の開口部を開く方向に撓るのを確実に防止できる。
【００５３】
さらに、図３ないし図５に示す本体ケース５は、電池コア９に配置されたコネクタ部３を外部に表出させるコネクタ窓５５を周壁５３に開口して設けている。図に示す電池コア９は電源装置の背面側に配置される端面壁２４に複数の出力端子３１及び入力端子３２からなるコネクタ部３を設けているので、本体ケース５は、背面側の周壁５３で形成される背面壁５４に、複数のコネクタ窓５５を開口して設けている。背面壁５４は、電池コア９に配置された出力端子３１及び入力端子３２と対向する位置にそれぞれコネクタ窓５５を開口している。すなわち、図３に示す背面壁５４は、片側（図において左側）から順に、ミニＵＳＢ端子３３Ｂを表出させるコネクタ窓５５Ｂ、２段に積層された標準ＵＳＢ端子３３Ａを表出させるコネクタ窓５５Ａ、丸ピン型入力端子３４Ｄを表出させるコネクタ窓５５Ｄ、丸ピン型出力端子３４Ｃを表出させるコネクタ窓５５Ｃを開口して設けている。図３の背面壁５４は、コネクタ窓５５Ｂを上側の周壁５３に、コネクタ窓５５Ａを上側の周壁５３と下側の周壁５３に設けると共に、コネクタ窓５５Ｄとコネクタ窓５５Ｃとを上下の周壁５３の境界部分に設けている。
【００５４】
さらに、第２ケース５Ｂは、回路基板４に実装された押圧スイッチ３６をＯＮ／ＯＦＦに操作するための押圧部６２を上面に設けている。図４に示す第２ケース５Ｂは、上面プレート５２の中央部であって、本体ケース５に収納される電池コア９の回路基板４に固定された押圧スイッチ３６と対向する位置に押圧部６２を設けている。図４に示す回路基板４は２組の押圧スイッチ３６を実装しているので、第２ケース５Ｂには、２つの押圧部６２を設けている。図４と図５の第２ケース５Ｂは、一部拡大斜視図に示すように、上面プレート５２にスリット６３を設けて部分的に切除し、押圧スイッチ３６を弾性的に押圧する弾性片６１を設けて、この弾性片６１の先端部を押圧部６２としている。この押圧部６２は、上面側から押圧される状態で、弾性片６１を弾性変形させて下方に移動し、押圧スイッチ３６をＯＮ／ＯＦＦに操作する。図５に示す押圧部６２は、下面に突出して凸部６２Ａを形成しており、押圧スイッチ３６の押しボタンを確実に押圧できるようにしている。
【００５５】
さらに、図５と図９の第２ケース５Ｂは、一対の押圧部６２の中間に位置して、上面プレート５２の内面から回路基板４に向かって突出する保持リブ６４を上面プレート５２に一体成形して設けている。この支持リブ６４は、先端面が回路基板４の表面に当接する高さに成形しており、押圧部６２を押圧する状態で、上面プレート５２の押圧部６２の近傍が回路基板４の方向に撓むのを有効に防止している。これにより、一方の押圧部６２を押圧して、これと対向する押圧スイッチ３６を操作する状態で、他方の押圧部６２が回路基板４に接近して、これと対向する押圧スイッチ３６が誤って操作されるのを有効に防止できる。
【００５６】
さらに、図４と図５に示す第２ケース５Ｂは、回路基板４に実装される発光ダイオード３７と対向する位置に、発光ダイオード３７から照射される光を外部に表出させるための光窓６５を開口している。図に示す回路基板４は一対の押圧スイッチ３６に隣接して一対の発光ダイオード３７を配置しているので、第２ケース５Ｂは、一対の押圧部６２に隣接して一対の光窓６５を設けている。
【００５７】
（表示シート７）
また、第２ケース５Ｂの上面には、図４と図５に示すように、表示シート７が貼付される。表示シート７は、可撓性を有するプラスチックシートで、第２ケース５Ｂの上面に設けたシート貼付領域６６に貼付される。この表示シート７は、上面プレート５２に設けられた押圧部６２の位置を表示している。図４と図９に示す表示シート７は、押圧部６２と対向する部分を、押圧部６２の近傍に沿う形状に成形して操作部７２としている。さらに、表示シート７は、上面プレート５２に設けた光窓６５と対向する位置に透光部７５を設けている。この透光部７５は、光窓６５から照射される発光ダイオード３７の光を外部に透過させて表示する。さらに、表示シートは、図示しないが、背面に設けられた２組のコネクタ部３の定格電圧と、出力端子６１及び入力端子６２の位置を表示することができる。この表示シートは、コネクタ部３の位置や定格電圧を表示することで、ユーザーが安心して安全に使用できる。
【００５８】
以上の電源装置は、以下のようにして組み立てられる。
（１）図８に示すように、電池ホルダ２の電池収納部１０に二次電池セル１を配置する。図に示す電源装置は、３本の二次電池セル１を内蔵するので、３本の二次電池セル１を、互いに平行な姿勢で３列の収納空間１１に配置する。
（２）電池ホルダ２の収納空間１１に配置された二次電池セル１の両端にリード板６を配置する。リード板６は、図７に示すように、収納空間１１の両端開口部に設けた切欠部１７に接続片６ｘを配置すると共に、接続片６ｘの先端部に設けた折曲部６ｙを底プレート１２の裏面に設けたリード用リブ１８に案内して定位置に配置する。
（３）二次電池セル１の両端にリード板６をスポット溶接して連結する。３本の二次電池セル１は、リード板６を介して互いに直列に接続される。
（４）図７と図８に示すように、コネクタ部３が定位置に固定された回路基板４を、電池ホルダ２の基板配置面２Ｘに配置する。回路基板４は、電池ホルダ２の基板配置面２Ｘに設けた基板収納部２８に配置されると共に、コネクタ部３が、電池ホルダ２の端面壁２４のコネクタガイド２５に案内されて、コネクタ収納部２０に収納される。
（５）リード板６の接続片５ｘを回路基板４に接続する。リード板６は、接続片５ｘの先端部に設けた折曲部６ｙがハンダ付けによって回路基板４に電気接続されると共に、機械的にも固定される。この状態で、底プレート１２の上下に配置される回路基板４と二次電池セル１が、リード板６を介して電池ホルダ２に固定されて電池コア９となる。
（６）電池コア９を第１ケース５Ａに収納する。このとき、図２に示すように、電池ホルダ２の電池収納部１０側の端面である端面壁１４が底面プレート５１から突出するホルダ端面保持壁５７と前面側の挿通ボス５９に対向して配置されると共に、底面プレート５１から突出する凹部係止部５６が電池ホルダ２の保持凹部２６に案内されて、電池コア９が第１ケース５Ａの定位置に配置される。さらに、第１ケース５Ａの背面側に位置する挿通ボス５９が電池ホルダ２のボス収納凹部２９に案内される。
電池コア９は、図５に示すように、二次電池セル１の表面に付着された両面テープ７０を介して、底面プレート５１の内面に接着される。これにより、電池コア９及び複数の二次電池セル１をより安定した姿勢で本体ケース５内に保持できる。
（７）上面に表面シート７が付着された第２ケース５Ｂを、電池コア９が収納された第１ケース５Ａの上に配置して、第１ケース５Ａと第２ケース５Ｂの対向する周壁５３を互いに連結する。この状態で、第１ケース５Ａの挿通ボス５９に止ネジ６０を挿通し、止ネジ６０を第２ケース５Ｂに設けている固定ボス５８にねじ込んで、止ネジ６０でもって第１ケース５Ａと第２ケース５Ｂを連結する。
【００５９】
以上の電源装置は、図３に示すように、コネクタ部３として４個の出力端子３１及び入力端子３２を、本体ケース５の背面側の背面壁５４に配置している。このように、全ての出力端子３１及び入力端子３２を本体ケース５の背面側に配置する構造は、外観を良くしながら、便利に配線できる。とくに、屋内に据置きで設置して使用する状態では、背面側に配線を集中させて、省スペースに収納できる。ここで、図３に示す電源装置は、背面の片側半分（図３において左側）に第１のコネクタ部３Ａを配置して、残りの片側半分（図３において右側）に第２のコネクタ部３Ｂを配置している。このように、定格電圧の異なる第１のコネクタ部３Ａと第２のコネクタ部３Ｂとを左右に区画して配置する構造は、ユーザーが電気機器を接続して使用する際に、使用するコネクタ部３の定格電圧をわかりやすくできる特徴がある。ただ、電源装置は、背面の片側半分に出力端子を配置して、残りの片側半分に入力端子を配置することもできる。この電源装置は、ユーザーが使用する際に、出力電力を外部に出力する使用状態と、二次電池セルを充電する使用状態とを明確にできる。
【００６０】
さらに、以上の実施例の電源装置は、回路基板４の端縁に複数の出力端子３１及び入力端子３２からなるコネクタ部３を固定し、これらのコネクタ部３を電池ホルダ２の端面に配置して、本体ケース５の背面側に表出する構造としている。ただ、電源装置は、必ずしも全ての出力端子及び入力端子を、本体ケースの背面側に配置する必要ない。電源装置は、複数の出力端子及び入力端子からなるコネクタ部の一部または全てを、回路基板の側縁側に固定して、本体ケースの側面側に表出させることもできる。すなわち、本発明の電源装置は、複数の出力端子及び入力端子からなるコネクタ部の配置場所を特定せず、本体ケースの背面及び両側面のいずれかに１箇所または複数箇所に選択的に配置することができる。
【産業上の利用可能性】
【００６１】
本発明に係る電源装置は、屋内に据置きで使用する環境においても、また、携帯可能な電源として屋外で使用する環境においても、携帯電話機や携帯式の音響機器等を接続して電力供給でき、また、家庭用電話機、パソコン、各種通信機器、及びその周辺機器等を接続して電力供給できる。とくに、この電源装置は、屋内に据置きで使用する状態では、停電中であっても種々の電気機器に電力供給して便利に使用できると共に、携帯可能であるため、災害時や緊急時に、屋外に避難や移動する状況においても、便利に持ち運びして種々の電気機器に電力供給して便利に使用できる。
【符号の説明】
【００６２】
１…二次電池セル
２…電池ホルダ              ２Ａ…電池収納領域
２Ｂ…コネクタ配置領域
２Ｘ…基板配置面
２Ｙ…電池収納面
３…コネクタ部              ３Ａ…第１のコネクタ部
３Ｂ…第２のコネクタ部
４…回路基板                ４ｙ…スリット
５…本体ケース              ５Ａ…第１ケース
５Ｂ…第２ケース
６…リード板                ６Ａ…第１リード板
６Ｂ…第２リード板
６ａ…接続部
６ｂ…連結部
６ｘ…接続片
６ｙ…折曲部
７…表示シート
９…電池コア
１０…電池収納部
１１…収納空間
１２…底プレート            １２Ａ…底面
１３…垂直壁
１４…端面壁
１５…境界壁
１６…連結リブ
１７…切欠部
１８…リード用リブ
１９…ガイド壁
２０…コネクタ収納部
２１…収納スペース
２２…表面プレート          ２２ａ…支持凸部
２３…側壁
２４…端面壁
２５…コネクタガイド        ２５Ａ…コネクタガイド
２５Ｂ…コネクタガイド
２５Ｃ…コネクタガイド
２５Ｄ…コネクタガイド
２６…保持凹部              ２６Ａ…底面
２７…支持ボス
２８…基板収納部
２９…ボス収納凹部
３１…出力端子              ３１Ａ…第１の出力端子
３１Ｃ…第２の出力端子
３２…入力端子              ３２Ｂ…第１の入力端子
３２Ｄ…第２の入力端子
３３…ＵＳＢ端子            ３３Ａ…標準ＵＳＢ端子
３３Ｂ…ミニＵＳＢ端子
３４…丸ピン型端子          ３４Ｃ…丸ピン型出力端子
３４Ｄ…丸ピン型入力端子
３６…押圧スイッチ
３７…発光ダイオード
３８…発熱部材
３９…温度センサ
４０…電力変換回路          ４０Ａ…ＤＣ／ＤＣコンバータ
４１…充電回路
４２…制御回路
４３…切換スイッチ
４４…保護回路
４５…検出回路
４６…表示部
４７…点灯回路
５１…底面プレート
５２…上面プレート
５３…周壁
５４…背面壁
５５…コネクタ窓            ５５Ａ…コネクタ窓
５５Ｂ…コネクタ窓
５５Ｃ…コネクタ窓
５５Ｄ…コネクタ窓
５６…凹部係止部            ５６Ａ…平行リブ
５６Ｂ…垂直リブ
５６ｂ…突出部
５７…ホルダ端面支持壁
５８…固定ボス
５９…挿通ボス
６０…止ネジ
６１…弾性片
６２…押圧部                ６２Ａ…凸部
６３…スリット
６４…保持リブ
６５…光窓
６６…シート貼付領域
７０…両面テープ
７２…操作部
７５…透光部
１０１…二次電池セル
１０２…電池ホルダ
１０３…コネクタ
１０４…回路基板
１０５…本体ケース
１０８…発熱部材
【図１】
2013140686.tif 000003
【図２】
2013140686.tif 000004
【図３】
2013140686.tif 000005
【図４】
2013140686.tif 000006
【図５】
2013140686.tif 000007
【図６】
2013140686.tif 000008
【図７】
2013140686.tif 000009
【図８】
2013140686.tif 000010
【図９】
2013140686.tif 000011
【図１０】
2013140686.tif 000012
【図１１】
2013140686.tif 000013
【図１２】
2013140686.tif 000014